(57)【要約】【課題】発酵槽および移送切返し装置を収容する建家が不要であり、経済的で堆肥発酵処理装置の設置のための工期も短縮化でき、建築物としての制限を受けることなく所望の地域に設置することができる堆肥発酵処理装置を提供する。【解決手段】後端部に投入口４を、前端部に取出口５をそなえた発酵槽１と、発酵槽１上を前後方向に自走する台車１２に切返し機１３を搭載した移送切返し装置１０とを有する堆肥発酵処理装置において、台車１２に屋根２０を設け、台車１２により前後方向に伸縮駆動され投入口４部と台車１２との間および該台車と取出口５部との間の発酵槽１の上部を覆う伸縮式テント屋根３１，３２を設け、投入口４の後方および取出口５の前方に、台車１２の移動により収縮状態となった伸縮式テント屋根を収容する収容スペース５１，５２を設けた。【選択図】　　　図１
2004123483.tif 000002
【特許請求の範囲】
【請求項１】
対向した側壁により形成され後端部に原料を投入する投入口をそなえ前端部に堆肥を取出す取出口をそなえた発酵槽と、前記発酵槽上を前後方向に自走する台車に切返し機を搭載した移送切返し装置とを有する堆肥発酵処理装置において、前記台車に屋根を設けるとともに、前記台車により前後方向に伸縮駆動され前記投入口部と前記台車との間および該台車と前記取出口部との間の前記発酵槽の上部を覆う伸縮式テント屋根を設け、前記投入口の後方および前記取出口の前方に、前記台車の前記発酵槽端部への移動により収縮状態となった前記伸縮式テント屋根を収容する収容スペースを設けたことを特徴とする堆肥発酵処理装置。
【請求項２】
前記投入口部の上方に、原料投入時における雨除け用の屋根を設けた請求項１記載の堆肥発酵処理装置。
【請求項３】
前記取出口部の上方に、堆肥取出時における雨除け用の屋根を設けた請求項１または２記載の堆肥発酵処理装置。
【発明の詳細な説明】
【０００１】
【発明の属する技術分野】
この発明は、糞尿や生ごみなどの有機系廃棄物を発酵させて堆肥化する堆肥発酵処理装置に関する。
【０００２】
【従来の技術】
従来、家畜の糞尿や生ごみ，林業や農業などで排出される植物性廃棄物などの有機系廃棄物を、好気性発酵させて堆肥化する装置としては、前後方向に延びる細長い発酵槽の後端部の投入口に原料を投入し、この原料に槽底部から空気配管などを介して空気を供給しつつ、上記発酵槽に沿って前後動する移送切返し装置によって切り返しと移送をおこなって好気発酵させ、発酵槽前端部の取出口から堆肥として取出す装置が用いられ、また上記移送切返し装置における切返し機としては、バドル型やスクープ型の切返し機が用いられている（例えば、特許文献１および２参照。）。
【０００３】
【特許文献１】
特開２００１−１２９５９８号公報（第２−３頁、図１、図２、図５）
【特許文献２】
特開平１１−２２８２７０号公報（第６−７頁、図１、図２、図１１）
【０００４】
ところが上記の従来の発酵槽は、全体が建家（屋舎）内に設置されており、この建家は建築物として設計，確認申請手続を経て建設されるものであるため、完工までに建設費および時間がかかり、また市街化調整区域など、地域によっては建家の建築が制限されて堆肥発酵処理装置の設置が不可能となる場合があった。
【０００５】
【発明が解決しようとする課題】
この発明は上記従来の問題点を解決しようとするものであり、発酵槽および移送切返し装置を収容する建家が不要であり、経済的で堆肥発酵処理装置の設置のための工期も短縮化できるとともに、建築物としての制限を受けることなく所望の地域に設置することができる堆肥発酵処理装置を提供することを目的とする。
【０００６】
【課題を解決するための手段】
上記目的を達成するために、請求項１記載の堆肥発酵処理装置は、対向した側壁により形成され後端部に原料を投入する投入口をそなえ前端部に堆肥を取出す取出口をそなえた発酵槽と、前記発酵槽上を前後方向に自走する台車に切返し機を搭載した移送切返し装置とを有する堆肥発酵処理装置において、前記台車に屋根を設けるとともに、前記台車により前後方向に伸縮駆動され前記投入口部と前記台車との間および該台車と前記取出口部との間の前記発酵槽の上部を覆う伸縮式テント屋根を設け、前記投入口の後方および前記取出口の前方に、前記台車の前記発酵槽端部への移動により収縮状態となった前記伸縮式テント屋根を収容する収容スペースを設けたことを特徴とする。
【０００７】
請求項１の手段によれば、伸縮式テント屋根と台車の屋根が発酵槽の上部を覆い、降雨時における雨水の発酵槽内への侵入を防止するので、発酵処理槽全体を収容する建家は不要となる。発酵槽への原料の投入時の投入口部の開放、堆肥取出時の取出口部の開放、および移送切返し装置による移送切返し時における台車の移動は、伸縮式テント屋根の伸縮性を利用して支障なくおこなえ、また移送切返し時に台車の移動に伴って収縮状態となった伸縮式テント屋根は、収容スペースへ収容され、台車の移動の支障となることはない。
【０００８】
この発明においては、発酵槽の投入口部および取出口部の上部は伸縮式テント屋根のみにより覆う構成としてもよいが、請求項２記載の発明のように、前記投入口部の上方に、原料投入時における雨除け用の屋根を設けた構成とすれば、降雨時における原料投入時において、雨水が投入口部から発酵槽内に侵入するのを防止でき、また請求項３記載の発明のように、前記取出口部の上方に、堆肥取出時における雨除け用の屋根を設けた構成とすれば、降雨時における堆肥取出時において、雨水が取出口部から発酵槽内に侵入するのを防止でき、好ましい。
【０００９】
【発明の実施の形態】
以下図１〜図５に示す例により、この発明の実施の形態を説明する。図中、１は前後方向に長い発酵槽であり、底板２の左右両端部寄りの位置に一対の側壁３，３を立設したコンクリート製のものであり、その後端部には原料投入用の投入口４が、前端部には堆肥取出用の取出口５が、それぞれ設けられている。家畜の糞尿や生ごみ等の有機系廃棄物Ｅは、投入口４から原料として発酵槽１内に投入され、後述の移送切返し装置１０により切返しを受けつつ取出口５側に向って前方に移送され、このとき有機系廃棄物Ｅ中に好気性発酵を促す空気を供給する空気供給管が発酵槽１の底板２上に多数本敷設されているが、その図示は省略してある。
【００１０】
移送切返し装置１０は、発酵槽１の側壁３，３上に設けたレール１１，１１上に載置され、図示しないモータにより駆動されて前後方向に自走する台車１２に、切返し機１３を搭載して成る。切返し機１３としては、この例ではパドル型の攪拌機を採用し、図２および図３に示すように、台車１２に揺動可能に設けられた揺動保持部１４の先端に、軸１５を水平軸心の回りに回転自在に保持し、この軸１５に複数本の撹拌爪１６を放射状に固着して撹拌体１７を構成し、モータ１８によりこの撹拌体１７を回転駆動し、また図示しない揺動駆動機により揺動保持部１４を揺動駆動して撹拌体１７の上下位置を変更できるようにしてある。そしてこの台車１２上には、この台車１２に立設した支柱１９を介して屋根２０を設けてある。
【００１１】
一方図１において、３１は前端部が台車１２に取付けられ投入口４と台車１２の間の発酵槽１の上部を覆う後側の伸縮式テント屋根、３２は後端部が台車１２に取付けられ台車１２と取出口５の間の発酵槽１の上部を覆う前側の伸縮式テント屋根である。これらの伸縮式テント屋根は台車１２により前後方向に伸縮駆動され、図２および図３に示すように、発酵槽１の底板２の左右延長部２ａ上に、側壁３に沿って前後方向にガイドレール３３，３３を敷設してテント屋根支持部とし、発酵槽１を跨ぐ形で平面トラス組みされ上記ガイドレール３３に沿って前後動するガイドローラ３４を下端部にそなえた端部架構３５，３６と、同じく発酵槽１を跨ぐ形で湾曲成形され上記ガイドローラ３４を下端部にそなえた中間架構３７，３７……とを、Ｘバー部材３８，３８……により連結し、その外面を膜材３９で覆った構造を有するものである。そして上記Ｘバー部材３８は、中間部を枢着された斜め材の下端部を上記各架構の下部に枢着し、上端部を上記各架構に上下動自在に支持したものである。
【００１２】
後側の伸縮式テント屋根３１の前端の端部架構３５と台車１２、および前側の伸縮式テント屋根３２の後端の端部架構３５と台車１２とは、それぞれブラケット２１により連結されている。また図２において４０は、テント屋根端部固定用のストッパで、伸縮式テント屋根３１の後端の端部架構３６の左右両端部に固着したブッシュ４１と、このブッシュ４１に上下に嵌脱される差棒４２とから成り、後述の移送切返し時などの必要時において、ブッシュ４１に嵌込んだ差棒４２の下端部を、ガイドレール３３に穿設した穴に嵌合させることにより、伸縮式テント屋根３１の後端部の前後移動を阻止するものであり、伸縮式テント屋根３２の前端の端部架構３６にも、同じストッパ４０を設け、該テント屋根３２の前端部の前後移動を阻止できるようになっている。
【００１３】
そして後側の伸縮式テント屋根３１は、図５（ａ）に示すように移送切返し装置１０の台車１２が発酵槽１の前端部へ移動したときにも、その後端部３１ｂが発酵槽１の投入口４の上部を覆うように、また前側の伸縮式テント屋根３２は、図５（ｂ）に示すように台車１２が発酵槽１の後端部へ移動したときに、その前端部３２ａが取出口５の上部を覆うように、その伸長時の長さ、すなわち膜材３９の前後長さおよび中間架構３７の本数等が選定されている。
【００１４】
また上記の図５（ａ）に示す状態では、前側の伸縮式テント屋根３２は収縮状態となるので、この収縮状態の伸縮式テント屋根３２を収容する収容スペース５２を取出口５の前方に設け、ガイドレール３３はこの収容スペース５２部にも設けてある。同様に上記図５（ｂ）に示す状態では、後側の伸縮式テント屋根３１は収縮状態となるので、この収縮状態の伸縮式テント屋根３１を収容する収容スペース５１を投入口４の後方に設け、ガイドレール３３はこの収容スペース５１部にも設けてある。
【００１５】
またこの例では、発酵槽１の投入口４部の上方に、原料投入時における雨除け用の屋根６１を、取出口５部の上方に、堆肥取出時における雨除け用の屋根６２を、それぞれ設けてある。これらの屋根は、地上に立設した支柱６３により合成樹脂波板などの板材を支持した簡潔な構成のものでよい。
【００１６】
上記構成の堆肥発酵処理装置７０により、有機系廃棄物Ｅの発酵処理をおこなうには、従来の発酵槽と同様に投入口４部から発酵槽１内へ原料（有機系廃棄物Ｅ）を投入し、移送切返し装置１０により槽内の有機系廃棄物Ｅを切返しつつ取出口５に向って移送し、取出口５から堆肥として取出すのであるが、先ず上記の原料の投入，堆肥の取出し、および移送切返しをおこなっていない通常状態においては、移送切返し装置１０をたとえば図１に示すように発酵槽１の前後中間部に停止させ、伸縮式テント屋根３１をその後端部３１ｂが発酵槽１の投入口４の上部を覆う伸縮中間状態とし、伸縮式テント屋根３２をその前端部３２ａが取出口５の上部を伸縮中間状態に保持する。これによって台車１２部分以外の発酵槽１の上部は、上記各伸縮式テント屋根によって覆われて降雨時における発酵槽１内への雨水の侵入は防止され、また台車１２停止部における発酵槽１内への雨水の侵入は台車１２の屋根２０によって防止されるとともに、この屋根２０により、台車１２の搭載機器が雨によって濡れるのも防止される。
【００１７】
次に原料の投入時には、図４（ａ）に示すように後側の伸縮式テント屋根３１の後端部３１ｂを手動操作などにより前側へ押して、投入口４部を開放状態とし、原料投入をおこなう。また堆肥の取出時には、図４（ｂ）に示すように前側の伸縮式テント屋根３２の前端部３２ａを手動操作などにより後側へ押して、取出口５を開放状態とし、堆肥を取出す。これにより伸縮式テントにより邪魔されることなく、原料の投入と堆肥の取出しをおこなうことができる。
【００１８】
上記の原料投入，堆肥取出時においては、発酵槽１の上部の殆どの部分は伸縮式テント屋根３１，３２と台車１２の屋根２０により覆われて降雨時における発酵槽１内への雨水の侵入が防止される。さらにこの例では、投入口４の上部に設けた屋根６１および取出口５の上部に設けた屋根６２により、投入口４部および取出口５部から雨水が発酵槽１内に侵入するのも確実に防止される。
【００１９】
また１日に１回乃至数回おこなう移送切返し時には、移送切返し装置１０を図５（ａ）に示すように先ず発酵槽１の前端部へ移動させ、伸縮式テント屋根３２を収縮状態として収容スペース５２内に収容するとともに、伸縮式テント屋根３１はその後端部３１ｂを前述のストッパ４０により投入口を覆う状態に保持する。次に撹拌体１７を回転駆動しつつ台車１２を矢印で示す後方に低速で走行させ、発酵槽１内の有機系廃棄物Ｅの撹拌・切返しと前方への移送をおこなう。
【００２０】
この移送切返し装置１０の後方への移動の途中において、伸縮式テント屋根３１の後端部３１ｂにセットしたストッパ４０を解除し、伸縮式テント屋根３２の伸縮状態に応じてその前端部３２ａにストッパ４０をセットして該前端部３２ａを、取出口５を覆う位置に保持する。そして図５（ｂ）に示すように台車１２が発酵槽１の後端部に達した時点で、移送切返しの１サイクルを終了するので、必要に応じて上記工程を繰返せばよい。
【００２１】
上記の移送切返し中においても、発酵槽１の上部は伸縮式テント屋根３１，３２と台車１２の屋根２０により覆われて、降雨時における発酵槽１内への雨水の侵入が防止される。
【００２２】
なお上記のストッパ４０による伸縮式テント屋根の前後端部の固定操作は、雨天の場合は必要であるが、晴天の場合は省略してもよく、これによって作業は簡単になる。
【００２３】
以上のように、伸縮式テント屋根３１，３２と台車１２の屋根２０の設置により、雨水の発酵槽１内への侵入を防止して降雨による影響を殆ど受けることなく堆肥発酵処理をおこなうことができ、発酵処理装置全体を収容する建家は不要となるのである。
【００２４】
また上記の例では、屋根６１，６２の設置により原料投入時における投入口４部および堆肥取出時における取出口５部からの発酵槽１内への雨水の侵入を確実に防止できるものであるが、これらの屋根６１，６２を設ける場合は、後側の伸縮式テント屋根３１は図５（ａ）に示す伸長時に投入口４の一部を覆う長さとし、図１に示す通常状態および図４に示す投入・取出状態では、その後端部３１ｂをほぼ投入口４分だけ前側に移動させた状態に保持し、同様に前側の伸縮式テント屋根３２は図５（ｂ）に示す伸長時に取出口５の一部を覆う長さとし、図１に示す通常状態および図４に示す投入・取出状態では、その前端部３２ａをほぼ取出口５分だけ後側に移動させた状態に保持するようにしてもよい。
【００２５】
次に図６はこの発明の実施の形態の他の例を示し、移送切返し装置１０の台車１２が走行するレール１１を前記収容スペース５１，５２まで延長して、伸縮式テント屋根３１，３２の端部架構３５，３６および中間架構３７の下端部のガイドローラ３４をガイドするガイドレールとして利用したものであり、前記図３と同一または相当部分には同一符号を付して図示し、それらの部分の詳細な説明は省略する。
【００２６】
この例の堆肥発酵処理装置７１によれば、上記のレールの兼用により装置の構成を簡潔化できる。なおこのレール兼用の場合は、端部架構３５，３６および中間架構３７には、図６に例示するように左右の張出部４３等を設けて、膜材３９の縁部を滴下する雨水が発酵槽１内に侵入しないようにするとよい。
【００２７】
この発明は上記各例に限定されるものではなく、たとえば上記伸縮式テント屋根３１，３２の端部架構３６を自走式のものとして手動操作を省略したり、前記ストッパ４０を上記自走式の端部架構のブレーキ機構で代用するなど、ストッパ４０は別形式のものとしてもよい。また伸縮式テント屋根としては、上記以外の各種構成の蛇腹式のテント屋根を用いることもでき、また移送切返し装置の切返し機としては、上記以外の具体的構成のパドル型の切返し機の他、各種構成のスクープ型の切返し機を用いることもできる。
【００２８】
【発明の効果】
以上説明したようにこの発明によれば、発酵槽および移送切返し装置を収容する建家が不要となり、経済的で堆肥発酵処理装置の設置のための工期も短縮化できるとともに、建築物としての制限を受けることなく所望の地域に堆肥発酵装置を設置することができる。
【００２９】
また上記の効果に加えて、請求項２記載の発明によれば、降雨時における原料投入時に、雨水が投入口部から発酵槽内に侵入するのを防止できる。
【００３０】
また上記の効果に加えて、請求項３記載の発明によれば、降雨時における堆肥取出時に、雨水が取出口部から発酵槽内に侵入するのを防止できる。
【図面の簡単な説明】
【図１】この発明の実施の形態の一例を示す堆肥発酵処理装置の縦断面図である。
【図２】図１の堆肥発酵処理装置の要部側面図である。
【図３】図２のＡ−Ａ線断面図である。
【図４】図１の堆肥発酵処理装置における原料投入および堆肥取出状態を示す縦断面図である。
【図５】図１の堆肥発酵処理装置における移送切返し状態を示す縦断面図である。
【図６】この発明の実施の形態の他の例を示す図３相当図である。
【符号の説明】
１…発酵槽、３…側壁、４…投入口、５…取出口、１０…移送切返し装置、１２…台車、１３…切返し機、２０…屋根、３１…伸縮式テント屋根、３２…伸縮式テント屋根、５１…収容スペース、５２…収容スペース、６１…屋根、６２…屋根、７０…堆肥発酵処理装置、７１…堆肥発酵処理装置。
【図１】
2004123483.tif 000003
【図２】
2004123483.tif 000004
【図３】
2004123483.tif 000005
【図４】
2004123483.tif 000006
【図５】
2004123483.tif 000007
【図６】
2004123483.tif 000008